(57)【特許請求の範囲】
【請求項１】
光源から出射される光ビームを偏向する偏向器と、該偏向器によって偏向された光ビームを等速走査光に変換する結像レンズと、等速走査光を折り返して感光体に導く反射ミラーを筐体内に収容し、前記反射ミラーの主走査方向両端を板金ステイを介して前記筐体に対して弾性支持するとともに、該反射ミラーの形状を変化させて走査線の湾曲を補正する走査線湾曲補正手段を設けて成る光走査装置において、
前記反射ミラーと前記板金ステイとの間に介設され、前記反射ミラーの側面のみに接触する弾性部材を備えたことを特徴とする光走査装置。
【請求項２】
前記反射ミラーの背面を前記板金ステイに形成された凸３箇所によって支持することを特徴とする請求項１記載の光走査装置。
【請求項３】
前記弾性部材の前記反射ミラーに接触する面に摩擦を低減させるフィルムを被覆したことを特徴とする請求項１又は２記載の光走査装置。
【請求項４】
請求項１〜３の何れかに記載の光走査装置を備えることを特徴とする画像形成装置。
【発明の詳細な説明】
【技術分野】
【０００１】
本発明は、感光体を光走査するための光走査装置とこれを備えた複写機やプリンター等の画像形成装置に関するものである。
【背景技術】
【０００２】
複写機やプリンター等の画像形成装置においては、帯電器によって表面が一様に帯電された感光体が光走査装置によって光走査され、その表面に画像情報に応じた静電潜像が形成される。そして、静電潜像は現像装置によって現像剤であるトナーを用いて現像されてトナー像として顕像化され、このトナー像は、転写装置によって用紙上に転写された後に定着装置によって加熱及び加圧されて用紙上に定着され、トナー像が定着された用紙が装置外へ排出されることによって一連の画像形成動作が終了する。
【０００３】
ところで、感光体を光走査してその表面に静電潜像を形成する光走査装置は、光源から出射される光ビームを偏向するポリゴンミラー等の偏向器と、該偏向器によって偏向された光ビームを等速走査光に変換する結像レンズと、等速走査光を折り返して感光体に導く複数の反射ミラー等を筐体内に収容して構成されている。
【０００４】
斯かる光走査装置に用いられる反射ミラーは、一般的には主走査方向に長い長尺ミラーで構成されているため、画像形成装置本体やポリゴンミラー等の振動を受けて振動し易い。そして、反射ミラーが振動すると、感光体上で光ビームの上下動が起こり、これが原因で画像にジッダとして影響が出るという問題が発生する。
【０００５】
上記問題を解消する方法として、反射ミラーの固定構造を工夫したり、錘を貼り付ける等して該反射ミラーの共振周波数（固有振動数）をポリゴンモータの駆動周波数からずらしておくことは一般的に行われている。例えば、特許文献１には、反射ミラーのネジ部材による圧接位置を変更することによって該反射ミラーの共振周波数を変化させる構成が提案されている。
【先行技術文献】
【特許文献】
【０００６】
【特許文献１】特開２００８−２４２１４６号公報
【発明の概要】
【発明が解決しようとする課題】
【０００７】
ところで、近年、ポリゴンミラーの高速化を図った機種や、ポリゴンミラーの回転数を切り替えて複数の印字解像度を選択可能とする機種が標準となってきている。更に、光走査装置の他機種への展開を可能とするためには、共振を考慮しなければならない回転数が幾通りもあり、このために問題が複雑化する。
【０００８】
実際問題として、画像の高質化を実現するためには反射ミラーの振動問題の解決は不可避であり、ジッダレベルを良くするためには共振ポイントを高周波数域へと移動させるか、共振しても許容可能なレベルまで振動を減衰させることが必要になる。
【０００９】
本発明は上記事情に鑑みてなされたもので、その目的とする処は、反射ミラーの振動を広い周波数域に亘って低く抑えることによって高い光学性能を安定して得ることができる光走査装置とこれを備えた画像形成装置を提供することにある。
【課題を解決するための手段】
【００１０】
上記目的を達成するため、請求項１記載の発明は、光源から出射される光ビームを偏向する偏向器と、該偏向器によって偏向された光ビームを等速走査光に変換する結像レンズと、等速走査光を折り返して感光体に導く反射ミラーを筐体内に収容し、前記反射ミラーの主走査方向両端を板金ステイを介して前記筐体に対して弾性支持するとともに、該反射ミラーの形状を変化させて走査線の湾曲を補正する走査線湾曲補正手段を設けて成る光走査装置において、前記反射ミラーと前記板金ステイとの間に介設され、前記反射ミラーの側面のみに接触する弾性部材を備えたことを特徴とする。
【００１１】
請求項２記載の発明は、請求項１記載の発明において、前記反射ミラーの背面を前記板金ステイに形成された凸３箇所によって支持することを特徴とする。
【００１２】
請求項３記載の発明は、請求項１又は２記載の発明において、前記弾性部材の前記反射ミラーに接触する面に摩擦を低減させるフィルムを被覆したことを特徴とする。
【００１３】
請求項４記載の画像形成装置は、請求項１〜３の何れかに記載の光走査装置を備えることを特徴とする。
【発明の効果】
【００１４】
請求項１記載の発明によれば、反射ミラーと板金ステイとの間に介設された弾性部材によるダンピング効果によって反射ミラーの振動が広い周波数域に亘って低く抑えられ、光走査装置に高い光学性能が安定して確保される。
【００１５】
請求項２記載の発明によれば、反射ミラーの取付角度が板金ステイの凸３箇所によって決められるため、板金ステイに高い平面度が要求されず、該板金ステイの製作が容易化する。又、反射ミラーの取付角度に依存しない側面と板金ステイとの間に弾性部材を設けることによって、環境変動等による反射ミラーの角度変動が抑えられ、該反射ミラーに高い光学性能が確保される。
【００１６】
請求項３記載の発明によれば、弾性部材の反射ミラーに接触する面にフィルムを被覆したため、弾性部材の組立時に反射ミラーとの摩擦がフィルムによって低く抑えられ、該弾性部材の組立性が高められる。
【００１７】
請求項４記載の発明によれば、折り返しミラーの振動が抑えられるため、感光体上での光ビームの上下動が抑えられ、ジッダ等の画像不良の発生が防がれて高質画像が安定的に得られる。
【図面の簡単な説明】
【００１８】
【図１】本発明に係る画像形成装置（カラーレーザープリンター）の側断面図である。
【図２】本発明に係る光走査装置のカバーを取り外して示す斜視図である。
【図３】本発明に係る光走査装置のカバーを取り外して示す平面図である。
【図４】図３のＡ−Ａ線断面図である。
【図５】図３のＢ−Ｂ線断面図である。
【図６】図３のＣ−Ｃ線断面図である。
【図７】反射ミラーと板金ステイの斜視図である。
【図８】板金ステイの斜視図である。
【図９】走査線湾曲補正手段が設けられた反射ミラーの正面図である。
【図１０】図９のＤ−Ｄ線断面図である。
【図１１】図９のＥ部拡大詳細図である。
【図１２】図１１のＦ−Ｆ線断面図である。
【図１３】走査線湾曲補正手段の保持ブラケットの斜視図である。
【図１４】本発明に係る光走査装置の反射ミラーの振動特性を従来のそれと比較して示す図である。
【発明を実施するための形態】
【００１９】
以下に本発明の実施の形態を添付図面に基づいて説明する。
【００２０】
［画像形成装置］
図１は本発明に係る画像形成装置の一形態としてのカラーレーザープリンターの断面図であり、図示のカラーレーザープリンターはタンデム型であって、その本体１００内の中央部には、マゼンタ画像形成ユニット１Ｍ、シアン画像形成ユニット１Ｃ、イエロー画像形成ユニット１Ｙ及びブラック画像形成ユニット１Ｋが一定の間隔でタンデムに配置されている。
【００２１】
上記各画像形成ユニット１Ｍ，１Ｃ，１Ｙ，１Ｋには、感光体である感光ドラム２ａ，２ｂ，２ｃ，２ｄがそれぞれ配置されており、各感光ドラム２ａ〜２ｄの周囲には、帯電器３ａ，３ｂ，３ｃ，３ｄ、現像装置４ａ，４ｂ，４ｃ，４ｄ、転写ローラー５ａ，５ｂ，５ｃ，５ｄ及びドラムクリーニング装置６ａ，６ｂ，６ｃ，６ｄがそれぞれ配置されている。
【００２２】
ここで、前記感光ドラム２ａ〜２ｄは、ドラム状の感光体であって、不図示の駆動モーターによって図示矢印方向（時計方向）に所定のプロセススピードで回転駆動される。又、前記帯電器３ａ〜３ｄは、不図示の帯電バイアス電源から印加される帯電バイアスによって感光ドラム２ａ〜２ｄの表面を所定の電位に均一に帯電させるものである。
【００２３】
更に、前記現像装置４ａ〜４ｄは、マゼンタ（Ｍ）トナー、シアン（Ｃ）トナー、イエロー（Ｙ）トナー、ブラック（Ｋ）トナーをそれぞれ収容しており、各感光ドラム２ａ〜２ｄ上に形成された各静電潜像に各色のトナーを付着させて各静電潜像を各色のトナー像として可視像化するものである。
【００２４】
又、前記転写ローラー５ａ〜５ｄは、各一次転写部にて中間転写ベルト７を介して各感光ドラム２ａ〜２ｄに当接可能に配置されている。ここで、中間転写ベルト７は、駆動ローラー８とテンションローラー９との間に張設されて各感光ドラム２ａ〜２ｄの上面側に走行可能に配置されており、前記駆動ローラー８は、二次転写部において中間転写ベルト７を介して二次転写ローラー１０に当接可能に配置されている。又、テンションローラー９の近傍にはベルトクリーニング装置１１が設けられている。
【００２５】
ところで、プリンター本体１００内の各画像形成ユニット１Ｍ，１Ｃ，１Ｙ，１Ｋの上方には、前記各現像装置４ａ〜４ｄにトナーを補給するためのトナーコンテナー１２ａ，１２ｂ，１２ｃ，１２ｄが一列に並設されている。
【００２６】
又、プリンター本体１００内の各画像形成ユニット１Ｍ，１Ｃ，１Ｙ，１Ｋの下方には、４台の光走査装置（レーザースキヤナユニット）１３が用紙搬送方向に並設され、これらの光走査装置１３の下方のプリンター本体１００の底部には給紙カセット１４が着脱可能に設置されている。そして、給紙カセット１４には複数枚の不図示の用紙が積層収容されており、この給紙カセット１４の近傍には、該給紙カセット１４から用紙を取り出すピックアップローラー１５と、取り出された用紙を分離して搬送パスＳへと１枚ずつ送り出すフィードローラー１６とリタードローラー１７が設けられている。
【００２７】
又、プリンター本体１００の側部を上下方向に延びる前記搬送パスＳには、用紙を搬送する搬送ローラー対１８と、用紙を一時待機させた後に所定のタイミングで前記二次転写対向ローラー８と二次転写ローラー１０との当接部である二次転写部へと供給するレジストローラー対１９が設けられている。尚、搬送パスＳの横には、用紙の両面に画像を形成する場合に使用される別の搬送パスＳ’が形成されており、この搬送パスＳ’には複数の反転ローラー対２０が適当な間隔で設けられている。
【００２８】
ところで、プリンター本体１００内の一側部に縦方向に配置された前記搬送パスＳは、プリンター本体１００の上面に設けられた排紙トレイ２１まで延びており、その途中には定着装置２２と排紙ローラー対２３，２４が設けられている。
【００２９】
次に、以上の構成を有するカラーレーザープリンターによる画像形成動作について説明する。
【００３０】
画像形成開始信号が発せられると、各画像形成ユニット１Ｍ，１Ｃ，１Ｙ，１Ｋにおいて各感光ドラム２ａ〜２ｄが図示矢印方向（時計方向）に所定のプロセススピードで回転駆動され、これらの感光ドラム２ａ〜２ｄは、帯電器３ａ〜３ｄによって一様に帯電される。又、各光走査装置１３は、各色毎のカラー画像信号によって変調された光ビームを出射し、その光ビームを各感光ドラム２ａ〜２ｄの表面に照射し、各感光ドラム２ａ〜２ｄ上に各色のカラー画像信号に対応した静電潜像をそれぞれ形成する。
【００３１】
そして、先ず、マゼンタ画像形成ユニット１Ｍの感光ドラム２ａ上に形成された静電潜像に、該感光ドラム２ａの帯電極性と同極性の現像バイアスが印加された現像装置４ａによってマゼンタトナーを付着させ、該静電潜像をマゼンタトナー像として可視像化する。このマゼンタトナー像は、感光ドラム２ａと転写ローラー５ａとの間の一次転写部（転写ニップ部）において、トナーと逆極性の一次転写バイアスが印加された転写ローラー５ａの作用によって、図示矢印方向に回転駆動されている中間転写ベルト７上に一次転写される。
【００３２】
上述のようにしてマゼンタトナー像が一次転写された中間転写ベルト７は、次のシアン画像形成ユニット１Ｃへと移動する。そして、シアン画像形成ユニット１Ｃにおいても、前記と同様にして、感光ドラム２ｂ上に形成されたシアントナー像が一次転写部において中間転写ベルト７上のマゼンタトナー像に重ねて転写される。
【００３３】
以下同様にして、中間転写ベルト７上に重畳転写されたマゼンタ及びシアントナー像の上に、イエロー及びブラック画像形成ユニット１Ｙ，１Ｋの各感光ドラム２ｃ，２ｄ上にそれぞれ形成されたイエロー及びブラックトナー像が各一次転写部において順次重ね合わせられ、中間転写ベルト７上にはフルカラーのトナー像が形成される。尚、中間転写ベルト７上に転写されないで各感光ドラム２ａ〜２ｄ上に残留する転写残トナーは、各ドラムクリーニング装置６ａ〜６ｄによって除去され、各感光ドラム２ａ〜２ｄは次の画像形成に備えられる。
【００３４】
そして、中間転写ベルト７上のフルカラートナー像の先端が駆動ローラー８と二次転写ローラー１０間の二次転写部（転写ニップ部）に達するタイミングに合わせて、給紙カセット１４からピックアップローラー１５とフィードローラー１６及びリタードローラー１７によって搬送パスＳへと送り出された用紙がレジストローラー対１９によって二次転写部へと搬送される。そして、二次転写部に搬送された用紙に、トナーと逆極性の二次転写バイアスが印加された二次転写ローラー１０によってフルカラーのトナー像が中間転写ベルト７から一括して二次転写される。
【００３５】
而して、フルカラーのトナー像が転写された用紙は、定着装置２２へと搬送され、フルカラーのトナー像が加熱及び加圧されて用紙の表面に熱定着され、トナー像が定着された用紙は、排紙ローラー対２３，２４によって排紙トレイ２１上に排出されて一連の画像形成動作が完了する。尚、用紙上に転写されないで中間転写ベルト７上に残留する転写残トナーは、前記ベルトクリーニング装置１１によって除去され、中間転写ベルト７は次の画像形成に備えられる。
【００３６】
［光走査装置］
次に、本発明に係る前記光走査装置１３を図２〜図４に基づいて説明する。
【００３７】
図２は本発明に係る光走査装置のカバーを取り外して示す斜視図、図３は同平面図、図４は図３のＡ−Ａ線断面図である。尚、図１に示すカラーレーザープリンターには以下に説明する光走査装置１３が４台並設されているが、これらの構成は全て同じであるため、以下、１台の光走査装置１３についてのみ説明する。
【００３８】
光走査装置１３は、樹脂にて矩形ボックス状に一体成形された筐体２５を有しており、該筐体２５内の底部には図４に示すように偏向器であるポリゴンミラー２６とこれを回転駆動するポリゴンモーター２７が配置されている。尚、図示しないが、筐体２５の側壁には光源であるレーザーダイオードが取り付けられており、筐体２５内にはコリメータレンズとシリンドリカルレンズがレーザーダイオードからの光ビームの出射方向に沿って配置されている。
【００３９】
又、図４に示すように、筐体２５内にはポリゴンミラー２６によって偏向された光ビームを等速走査光に変換する第１及び第２結像レンズ２８，２９と、等速走査光を折り返して感光ドラム２ａ（２ｂ〜２ｄ）に導く第１〜第３反射ミラー３０，３１，３２が収容されている。
【００４０】
ところで、図示の１台の光走査装置１３は、図１に示すマゼンタ画像形成ユニット１Ｍの感光ドラム２ａを露光走査するものであって、図４に示すように、筐体２５の上面開口部には樹脂製のカバー３３が被着され、該カバー３３の第３反射ミラー３２と感光ドラム２ａを結ぶ光路には走査光が通過するための開口部３３ａが形成されている。
【００４１】
而して、光走査装置１３において光源である不図示のレーザーダイオードから出射する光ビームは、不図示のコリメータレンズによって平行光とされた後、不図示のシリンドリカルレンズによって副走査方向に収束し、ポリゴンモーター２７によって回転駆動されるポリゴンミラー２６に入射する。
【００４２】
上述のようにポリゴンミラー２６に入射した光ビームは、ポリゴンミラー２６によって偏向され、第１結像レンズ２８を水平に通過した後、第１反射ミラー３０によって垂直上方へと折り返され、更に第２反射ミラー３１によって第３反射ミラー３２に向かって折り返される。そして、第２反射ミラー３１によって折り返された光ビームは、第２結像レンズ２９を通過した後に第３反射ミラー３２によって感光ドラム２ａに向かって斜め上方に折り返され、カバー３３に形成された開口部３３ａを通過して感光ドラム２ａに向かい、該感光ドラム２ａ上に結像して主走査方向に等速移動するスポットを形成することによって感光ドラム２ａを露光走査する。
【００４３】
尚、図２〜図４に示す１台の光走査装置１３は、図１に示すマゼンタ画像形成ユニット１Ｍの感光ドラム２ａを露光走査するものであるが、図１に示すカラーレーザープリンターのプリンター本体１００には前述のように同様の光走査装置１３が４台並設されており、これら４台の光走査装置１３によって他のシアン画像形成ユニット１Ｃとイエロー画像形成ユニット１Ｙ及びブララック画像形成ユニット１Ｋの各感光ドラム２ｂ，２ｃ，２ｄを含む４つの感光ドラム２ａ〜２ｄの全てが光ビームによって露光走査される。
【００４４】
ここで、第３反射ミラー（以下、単に「反射ミラー」と称する）３２の取付構造を図２、図３及び図５〜図８に基づいて以下に説明する。
【００４５】
図５は図３のＢ−Ｂ線断面図、図６は図３のＣ−Ｃ線断面図、図７は反射ミラーと板金ステイの斜視図、図８は板金ステイの斜視図である。
【００４６】
反射ミラー３２は、図２、図３及び図７に示すように主走査方向に長い長尺ミラーであって、その走査方向（左右方向）両端が金属製の板バネ３４によって板金ステイ３５に弾性支持されている。ここで、板金ステイ３５は、図８に示すように、上面が開口するチャンネル状部材であって、その長手方向の一端底面には１つの凸部３５ａが突設され、他端底面には２つの凸部３５ｂが突設されている。そして、反射ミラー３２は、その底面の主左右方向両端が板金ステイ３５の左右両端部に突設された凸部３５ａ，３５ｂ上に載置され、その左右方向両端が板バネ３４によって板金ステイ３５に押圧されることによって板金ステイ３５に弾性支持されている。
【００４７】
又、反射ミラー３２は、その主走査方向一端が図５に示すように筐体２５の矩形孔２５Ａに差し込まれ、板バネ３６によって矩形孔２５Ａの内面に形成された突起２５ａに押圧されることによって長手方向一端が筐体２５に固定されている。反射ミラー３２の長手方向他端は、図６に示すように、その裏面が筐体２５の取付面２５Ｂに突設された突起２５ｂに板バネ３７によって押圧されることによって固定されており、板バネ３７はビス３８によって筐体２５に取り付けられている。
【００４８】
ところで、反射ミラー３２の主走査方向（左右方向）中央部に走査線湾曲補正手段３９が設けられており、この走査線湾曲補正手段３９によって感光ドラム２ａ上の走査線の湾曲が補正される。
【００４９】
次に、上記走査線湾曲補正手段３９の構成の詳細を図９〜図１３に基づいて説明する。
【００５０】
図９は走査線湾曲補正手段が設けられた反射ミラーの正面図、図１０は図９のＤ−Ｄ線断面図、図１１は図９のＥ部拡大詳細図、図１２は図１１のＦ−Ｆ線断面図、図１３は走査線湾曲補正手段の保持ブラケットの斜視図である。
【００５１】
走査線湾曲補正手段３９は、反射ミラー３２の主走査方向中央部に係合する保持ブラケット４０と、該保持ブラケット４０と前記板金ステイ３５の間に縮装されて保持ブラケット４０を介して反射ミラー３２の主走査方向中央部を下方に引き付ける２つの圧縮バネ４１と、板金ステイ３５の底面の主走査方向中央に突設されたボス部３５Ａに進退可能（上下動可能）に螺合して反射ミラー３２の長手方向中央を前記圧縮バネ４１による引き付け方向（下方）とは逆方向の上方に押圧する調整ネジ４２とで構成されている。
【００５２】
ここで、上記保持ブラケット４０は、図１３に示すように、上面が開口するチャンネル状部材であって、その左右の上端縁の長手方向中央には内側に向かって折り曲げられた一対の係合爪４０ａがそれぞれ一体に形成され、各係合爪４０ａの両側には内側に向かって逆Ｕ字状に折り曲げられた板バネ４０ｂがそれぞれ一体に形成されている。又、保持ブラケット４０の底面の幅方向中央には円孔４０ｃが形成され、その両側には前記圧縮バネ４１の下端を係止するための各２つの三日月状の係止孔４０ｄがそれぞれ形成されている。
【００５３】
而して、保持ブラケット４０は、板金ステイ３５とこれに保持された反射ミラー３２の主走査方向中央部を下方から覆うように開口部を上にして嵌め込まれ、その係合爪４０ａが反射ミラー３２の上面に係合することによって該反射ミラー３２に保持される。そして、保持ブラケット４０と板金ステイ３５との間に縮装された２つの圧縮バネ４１によって保持ブラケット４０が下方に付勢されることによって、該保持ブラケット４０の係合爪４０ａが反射ミラー３２に係合して該反射ミラー３２の長手方向中央を下方へ引き付ける。これによって反射ミラー３２は長手方向中央が下に凸となるように撓み変形する。尚、反射ミラー３２の幅方向中央は、長手方向に対して直角方向（図９及び図１１の紙面垂直方向）の２面が保持ブラケット４０の板バネ４０ｂによって保持されている。
【００５４】
又、図１２に示すように、板金ステイ３５の底面の長手方向中央に突設されたボス部３５Ａにはネジ孔３５ｃが刻設されており、このネジ孔３５ｃには前記調整ネジ４２のネジ部４２ａが下方から螺合している。そして、この調整ネジ４２の板金ステイ３５内に臨む先端部は反射ミラー３２の底面の長手方向中央に当接している。又、調整ネジ４２の板金ステイ３５から下方へ突出する外径部のネジ部４２ａに隣設する部分には六角柱状部４２ｂが一体に形成され、調整ネジ４２の下端面にはドライバの先端が係合するための十字穴４２ｃが形成されており、図１２に示すように、十字穴４２ｃは、保持ブラケット４０の底面に形成された前記円孔４０ｃから下方に向かって露出している。
【００５５】
又、図９に示すように、保持ブラケット４０の側部には矩形状の工具差込孔４０ｅが形成されており、この工具差込孔４０ｅには調整ネジ４２の前記六角柱状部４２ｂが臨んでいる。
【００５６】
而して、前述のように反射ミラー３２は、その長手方向中央部が２つの圧縮バネ４１によって下方に引き付けられて下に凸となるように撓み変形する反面、その下面に当接する調整ネジ４２による上方への押し付けによって上に凸となるように撓み変形する。従って、走査線の湾曲補正（ボウ補正）に際しては、保持ブラケット４０の側部に形成された工具差込孔４０ｅから不図示の調整工具の先端を差し込み、その先端を調整ネジ４２の六角柱状部４２ｂに係合させて該調整工具によって調整ネジ４２を回せば、該調整ネジ４２の先端による反射ミラー３２に対する上方への押圧力が調整され、図１に示すカラーレーザープリンターにおける感光ドラム２ａ上での走査線の湾曲が補正される。
【００５７】
ところで、本発明に係る光走査装置１３においては、図７、図９及び図１０に示すように、反射ミラー３２の長手方向２箇所（長手方向において走査線湾曲補正手段３９と板バネ３４との間）において該反射ミラー３２と板金ステイ３５との間に弾性部材４３が介設されている。各弾性部材４３は、図１０に示すように、その一部（幅方向両端部）反射ミラー３２と板金ステイ３５との間に挟み込まれて反射ミラー３２の側面のみに接触し、他の部分は板金ステイ３５の外周を覆っている。そして、本実施の形態では、弾性部材４３の反射ミラー３２に接触する外面には不図示のフィルムが被覆されている。
【００５８】
以上のように、本発明に係る光走査装置１３においては、反射ミラー３２の長手方向２箇所において該反射ミラー３２と板金ステイ３５との間に弾性部材４３を介設したため、この弾性部材４３によるダンピング効果（減衰効果）によって板金ステイ３５から反射ミラー３２への振動が抑制され、反射ミラー３２の振動が広い周波数域に亘って低く抑えられ、光走査装置１３に高い光学性能が安定して確保される。ここで、図１４に本発明に係る光走査装置１３の反射ミラー３２の振動特性を従来のそれと比較して示すが、破線にて示す従来の振動特性は或るポリゴン回転数域において加速度（振幅）にピーク値を示すが、このピーク値は実線にて示す本発明に係る光走査装置１３の反射ミラー３２の振動特性においては弾性部材４３によるダンピング効果によって減衰されて低い値を示すことが分かる。
【００５９】
又、本発明に係る光走査装置１３においては、反射ミラー３２の取付角度が板金ステイ３５に形成された計３つの突起３５ａ，３５ｂによって決められるため、板金ステイ３５に高い平面度が要求されることがなく、該板金ステイ３５の製作が容易化する。そして、反射ミラー３２の取付角度に依存しない側面と板金ステイ３５との間に弾性部材４３を設けることによって、環境変動等による反射ミラー３２の角度変動が抑えられ、該反射ミラー３２に高い光学性能が確保される。
【００６０】
更に、本実施の形態では、弾性部材４３の反射ミラー３２に接触する面にフィルムを被覆したため、弾性部材４３の組立時に反射ミラー３２との摩擦がフィルムによって低く抑えられ、該弾性部材４３の組立性が高められる。
【００６１】
以上のように、本発明に係る光走査装置１３によれば、反射ミラー３２の振動が抑えられるため、図１に示すカラーレーザープリンターの各感光ドラム２ａ〜２ｄ上での光ビームの上下動が抑えられ、ジッダ等の画像不良の発生が防がれて高質画像が安定的に得られる。
【００６２】
尚、以上は光走査装置の１つの反射ミラーの取付構造について説明したが、他の反射ミラーについても同様の取付構造を採用することによって、これらの反射ミラーの振動を抑制することができる。又、以上は本発明をカラーレーザープリンター及びこれに備えられた光走査装置に対して適用した形態について説明したが、本発明は、カラープリンター以外のカラー複写機やモノクロを含む他の任意の画像形成装置及びこれに備えられた光走査装置に対しても同様に適用可能であることは勿論である。
【符号の説明】
【００６３】
１Ｍ            マゼンタ画像形成ユニット
１Ｃ            シアン画像形成ユニット
１Ｙ            イエロー画像形成ユニット
１Ｋ            ブラック画像形成ユニット
２ａ〜２ｄ      感光ドラム（感光体）
３ａ〜３ｄ      帯電器
４ａ〜４ｄ      現像装置
５ａ〜５ｄ      転写ローラー
６ａ〜６ｄ      ドラムクリーニング装置
７              中間転写ベルト
８              駆動ローラー
９              テンションローラー
１０            二次転写ローラー
１１            ベルトクリーニング装置
１２ａ〜１２ｄ  トナーコンテナー
１３            光走査装置
１４            給紙カセット
１５            ピックアップローラー
１６            フィードローラー
１７            リタードローラー
１８            搬送ローラー対
１９            レジストローラー対
２０            搬送ローラー対
２１            排紙トレイ
２２            定着装置
２３，２４      排紙ローラー対
２５            光走査装置の筐体
２６            ポリゴンミラー
２７            ポリゴンモーター
２８，２９      結像レンズ
３０〜３２      反射ミラー
３３            カバー
３４            板バネ
３５            板金ステイ
３６，３７      板バネ
３８            ビス
３９            走査線湾曲補正手段
４０            保持ブラケット
４１            圧縮バネ
４２            調整ネジ
４３            弾性部材
１００          プリンター本体
Ｓ，Ｓ’        搬送パス
【図１】
0005396408.tif 000002
【図２】
0005396408.tif 000003
【図３】
0005396408.tif 000004
【図４】
0005396408.tif 000005
【図５】
0005396408.tif 000006
【図６】
0005396408.tif 000007
【図７】
0005396408.tif 000008
【図８】
0005396408.tif 000009
【図９】
0005396408.tif 000010
【図１０】
0005396408.tif 000011
【図１１】
0005396408.tif 000012
【図１２】
0005396408.tif 000013
【図１３】
0005396408.tif 000014
【図１４】
0005396408.tif 000015